(57)【要約】【課題】本考案は、束石と束柱とを簡易に連結することができると共に、束石に連結された束柱の抜けを確実に防止する束柱の支持装置を提供することを目的とする。【解決手段】本考案の束柱の支持装置は、外周面に円環状の半円断面溝１を形成した硬質ゴムから成る円筒状の免震体２と、該免震体２を先端に嵌合させる外周面にねじ山３を形成した金属製の心棒４と、該心棒４に螺合される内ネジ孔５を中央に有し、外周面に裾広がり状の断面三角形の円環刃６を多段に有する逆止栓７とを組合せて構成される。束石Ａから突出している前記免震体２及び逆止栓７に位置合わせを行いながら、束柱Ｅ下面の掘削孔を前記免震体２及び逆止栓７に差し込み、最終的には束柱Ｅの頂面を叩き、逆止栓７の円環刃６を束柱Ｅに食い込ませるようにして挿入固定することによって、束柱Ｅが束石Ａから抜けるのを防止する。【選択図】図５
0003120309.tif 000002
【実用新案登録請求の範囲】
【請求項１】
外周面に円環状の半円断面溝を形成した硬質ゴムから成る円筒状の免震体と、該免震体を嵌合させる外周面にねじ山を形成した金属製の心棒と、前記心棒に螺合される内ネジ孔を中央に有し前記免震体下部の心棒に螺合され、外周面に裾広がり状の断面三角形の円環刃を多段に有する逆止栓とから構成され、グリップアンカーを介して心棒の下端を束石の接合穴に挿入固定し、前記束石に免震体と逆止栓を立設させることを特徴とする束柱の支持装置。
【請求項２】
上端から等間隔に円環ゴムパッキンが嵌合する外周面に円環状の半円断面溝を形成した硬質ゴムから成る円筒状の免震体と、該免震体に先端を螺合させる外周面全体にねじ山を形成した金属製の心棒と、前記心棒に螺合される内ネジ孔を中央に有し前記免震体下部の心棒に螺合され、外周面に裾広がり状の断面三角形の円環刃の一部に軸方向の切削空間面を形成する金属製の逆止栓とを組合せて構成され、グリップアンカーを介して心棒の下端を束石の接合穴に挿入固定し、前記束石に免震体と逆止栓を立設させることを特徴とする束柱の支持装置。
【考案の詳細な説明】
【技術分野】
【０００１】
本考案は、束石と束柱とを簡易に連結することができると共に、束石に連結された束柱の抜けを確実に防止する束柱の支持装置に関する。
【背景技術】
【０００２】
従来の束柱における支持構造は、束柱の下端に平ほぞを削り出し、該平ほぞを束石に凹設した掘削孔に嵌入するものであるため、前記平ほぞの加工に手間を要する上に、風雨に曝される束石の上では柱の下端から浸入する雨水などが前記平ほぞを腐食し、束柱の寿命が短命であった。
設置する際も土間や基礎などの連結は乏しく、大きな力が作用した場合に、束石がずれたり、前記束柱の平ほぞが欠損してしまう欠点があった。
そこで、本出願人は、束石と該束石上に位置決めされる束柱の支持構造を開発し、実用新案登録出願をした（特許文献１を参照）。
上記実用新案登録出願は、束柱の支持面に浸入する雨水などの水切りを達成する束石と、束柱下端の平ほぞ加工に代えて孔加工による掘削孔を前記束柱の下端に凹設することによって、耐水性の心棒で束柱と束石とを簡易に接合すると共に、長命化を達成する束柱の支持構造を提供するものである。
【特許文献１】登録実用新案第３０１７７９５号公報
【考案の開示】
【考案が解決しようとする課題】
【０００３】
本考案は、束石と束柱とを簡易に連結することができると共に、束石に連結された束柱の抜けを確実に防止する束柱の支持装置を提供することを目的とする。
【課題を解決するための手段】
【０００４】
本考案の束柱の支持装置は、外周面に円環状の半円断面溝を形成した硬質ゴムから成る円筒状の免震体と、該免震体を嵌合させる外周面にねじ山を形成した金属製の心棒と、前記心棒に螺合される内ネジ孔を中央に有し前記免震体下部の心棒に螺合され、外周面に裾広がり状の断面三角形の円環刃を多段に有する逆止栓とから構成され、グリップアンカーを介して心棒の下端を束石の接合穴に挿入固定し、前記束石に免震体と逆止栓を立設させるものである。
本考案の束柱の支持装置は、上端から等間隔に円環ゴムパッキンが嵌合する外周面に円環状の半円断面溝を形成した硬質ゴムから成る円筒状の免震体と、該免震体に先端を螺合させる外周面全体にねじ山を形成した金属製の心棒と、前記心棒に螺合される内ネジ孔を中央に有し前記免震体下部の心棒に螺合され、外周面に裾広がり状の断面三角形の円環刃の一部に軸方向の切削空間面を形成する金属製の逆止栓とを組合せて構成され、グリップアンカーを介して心棒の下端を束石の接合穴に挿入固定し、前記束石に免震体と逆止栓を立設させるものである。
【考案の効果】
【０００５】
本考案の束柱の支持装置は、接着剤を使用せず、免震体と逆止栓とを心棒の先端に組み合わせてグリップアンカーを介して心棒の下端を束石の接合穴に挿入し、前記束石に免震体と逆止栓を立設させ、束柱の下面に設けた掘削孔を前記免震体及び逆止栓に挿入固定させるので、束石と束柱との結合が強固で横ズレ、抜けがなくなると共に取扱いが簡便である。
また、本考案の束柱の支持装置は、束石と束柱との連結部に防振ゴムマットを挟持させることにより、地震等の揺れを軽減し、地震等でも転倒を生じる恐れがない。
【考案を実施するための最良の形態】
【０００６】
本考案の束柱の支持装置の一実施例を図面に基づいて、以下に説明する。
本考案の束柱の支持装置は、図１の斜視図に示すように外周面に円環状の半円断面溝１を形成した硬質ゴムから成る円筒状の免震体２と、該免震体２を先端に嵌合させる外周面にねじ山３を形成した金属製の心棒４と、図２の斜視図に示すように前記心棒４に螺合される内ネジ孔５を中央に有し、外周面に裾広がり状の断面三角形の円環刃６を多段に有する逆止栓７とを組合せて構成される。
前記免震体２は、全体が硬質ゴム製円筒体からなり、図１に示すように上端から等間隔に２個、円環ゴムパッキンが嵌入する円環状の半円断面溝１を外周面に形成される。
前記心棒４は、ステンレスや炭素鋼などの金属製の中実丸棒からなり、外周面全体にねじ山３が形成される。
【０００７】
前記逆止栓７は、ステンレスや炭素鋼などの金属製や繊維強化プラスチック（ＦＲＰ）などの合成樹脂製の円筒体からなり、図２に示すように中央には心棒４に螺合される内ネジ孔５を有し前記免震体２下部の心棒４に螺合され、外周面には裾広がり状の断面三角形の円環刃６を３段に形成し、前記円環刃６の外周面に４個の軸方向の切削空間面８を形成する。
なお、前記切削空間面８は、実施例では９０°間隔で４個形成したが、これに限らず、個数には限定されない。
【０００８】
図３の斜視図に示すように、グリップアンカー９は、ステンレスや炭素鋼などの金属製の円筒体からなり、束石の上面中央に凹設した掘削孔に嵌入される。
前記グリップアンカー９の上部には前記心棒４が螺合される内ネジ孔１０が形成され、前記グリップアンカー９の下部には軸方向のスリット溝１１が形成される。
前記グリップアンカー９の下部中央には円錐台形の拡開ピン１２が嵌合され、前記拡開ピン１２が押し込まれることによりスリット溝１１により分離された円筒片１３を強制的に外側に拡開させる。
【０００９】
図４の斜視図に示すように、防振ゴムマット１４は、振動を吸収する硬質ゴムから形成され、束石と束柱との連結面に敷設される。
所定厚みの正方形の平板状をなし、表面には縦軸又は横軸に平行に所定幅で多数の凸条又は凹条の凹凸部を形成している。
そして、前記防振ゴムマット１４の中心部には、前記心棒４が挿入嵌合される円形の貫通穴１５が形成される。
なお、この実施例では、防振ゴムマット１４表面にのみ多数の凹凸部を形成したが、両面、すなわち表面及び裏面に多数の凹凸部を形成することもできるが、その場合には表面と裏面の凹凸部は直交するように形成すれば良い。
【００１０】
次に、本考案の束柱の支持装置の使用動作について、以下図面に基づいて説明する。
図５に示すように、まず、束石Ａを設置する基礎コンクリートＢの位置にはアンカーボルトＣと該アンカーボルトＣに螺合したナットＤを一緒に埋設する。
対象とする束石Ａには、あらかじめ上下対向する個所にリング状カッターによりグリップアンカー９の直径と略同径の円形の接合穴をそれぞれに穿孔しておく。
また、束柱Ｅの下面には、心棒４の免震体２及び逆止栓７が嵌合される円形の掘削孔を形成しておく。
なお、前記束石Ａの接合穴は、リング状カッターにより円筒形に所定深さまで切削し、中央の円柱部分を打撃により切除することにより形成される。
前記束石Ａの接合穴が形成されたら、図５の断面図に示すように、始めに、前記束石Ａの下端の接合穴にアンカーボルトＣのグリップアンカー９を差し込み、束石Ａを前記グリップアンカー９により基礎コンクリートＢに固定する。
【００１１】
次に、前記束石Ａの上端の接合穴に心棒４の下端をグリップアンカー９により差し込み、前記グリップアンカー９により心棒４の免震体２及び逆止栓７を束石Ａに固定する。
そして、前記束石Ａから突出している前記免震体２及び逆止栓７に位置合わせを行いながら、束柱Ｅ下面の掘削孔を前記免震体２及び逆止栓７に差し込み、最終的には束柱Ｅの頂面を叩き、逆止栓７の円環刃６を束柱Ｅに食い込ませるようにして挿入固定することによって、束柱Ｅが束石Ａから抜けるのを防止する。
なお、束石Ａと束柱Ｅの連結部に防振ゴムマット１４を挟み込むと、束石Ａと束柱Ｅに外部から強い力が加わった時に、ゴムの柔軟性が防振力を増すことになる。
【図面の簡単な説明】
【００１２】
【図１】本考案の免震体と心棒の斜視図である。
【図２】本考案の逆止栓の斜視図である。
【図３】本考案のグリップアンカーの斜視図である。
【図４】本考案の防振ゴムマットの斜視図である。
【図５】本考案の束柱の支持装置の使用状態を示す断面図である。
【符号の説明】
【００１３】
１  半円断面溝
２  免震体
３  ねじ山
４  心棒
５  内ネジ孔
６  円環刃
７  逆止栓
８  切削空間面
９  グリップアンカー
１０  内ネジ孔
１１  スリット溝
１２  拡開ピン
１３  円筒片
１４  防振ゴムマット
１５  貫通穴
Ａ  束石
Ｂ  基礎コンクリート
Ｃ  アンカーボルト
Ｄ  ナット
Ｅ  束柱
【図１】
0003120309.tif 000003
【図２】
0003120309.tif 000004
【図３】
0003120309.tif 000005
【図４】
0003120309.tif 000006
【図５】
0003120309.tif 000007